(57)【要約】      （修正有）【課題】引っ張るときの操作性を向上させることができる衛生材及びワインディングテープを提供する。【解決手段】不織布と、不織布に貼り付けられるワインディングテープ１０と、ワインディングテープを不織布に固定する固定部１１と、を備え、ワインディングテープは、伸縮部１２と、伸縮部に設けられたタブ１５とを有する衛生材１で、固定部は、ワインディングテープの長手方向における伸縮部の両端側のそれぞれに設けられ、ワインディングテープは、衛生材の吸収体の長手方向に沿うように貼り付けられる。【選択図】図９
2020174963.tif 000002
【特許請求の範囲】
【請求項１】
不織布と、
前記不織布に貼り付けられるワインディングテープと、
前記ワインディングテープを前記不織布に固定する固定部と、
を備え、
前記ワインディングテープは、
伸縮部と、
前記伸縮部に設けられたタブと、
を有する衛生材。
【請求項２】
前記固定部は、前記ワインディングテープの長手方向における前記伸縮部の両端側のそれぞれに設けられる、
請求項１に記載の衛生材。
【請求項３】
前記ワインディングテープは、前記衛生材の吸収体の長手方向に沿うように貼り付けられる、
請求項１又は２に記載の衛生材。
【請求項４】
前記タブは、前記伸縮部に接合する接合部と、前記接合部から前記ワインディングテープの面外方向に突出する摘まみ部と、を有し、
前記接合部と前記摘まみ部との間に前記接合部から立ち上がる立ち上がり部が設けられ、
前記立ち上がり部の幅は、前記伸縮部の幅の５０％以上である、
請求項１〜３のいずれか一項に記載の衛生材。
【請求項５】
不織布に貼り付けられるワインディングテープであって、
伸縮部と、
前記伸縮部に設けられたタブと、
を備えるワインディングテープ。
【請求項６】
前記ワインディングテープの長手方向における前記伸縮部の両端側のそれぞれに前記不織布に固定される固定部を備える、
請求項５に記載のワインディングテープ。
【請求項７】
前記タブは、前記伸縮部に接合する接合部を有し、
前記接合部の幅は、前記伸縮部の幅の５０％以上である、
請求項５又は６に記載のワインディングテープ。
【請求項８】
前記タブは、前記ワインディングテープの面外方向に突出する摘まみ部を有する、
請求項５〜７のいずれか一項に記載のワインディングテープ。
【請求項９】
前記摘まみ部は、前記ワインディングテープの幅方向に延在している、
請求項８に記載のワインディングテープ。
【請求項１０】
前記摘まみ部は、前記ワインディングテープの長手方向に沿って延在している、
請求項８に記載のワインディングテープ。
【請求項１１】
前記伸縮部の引張強度が１０Ｎ／２５ｍｍ以上である、
請求項８〜１０のいずれか一項に記載のワインディングテープ。
【発明の詳細な説明】
【技術分野】
【０００１】
本開示の一側面は、衛生材及びワインディングテープに関する。
【背景技術】
【０００２】
特許文献１には、使い捨てのおむつが記載されている。このおむつは、液透過性の表面シートと、液不透過性の裏面シートと、表面シート及び裏面シートの間に介在する液保持性の吸収体とを備える。おむつの外表面には、おむつ廃棄用の帯状の伸縮性部材が設けられる。伸縮性部材の両端部のそれぞれがおむつの外表面に固定されており、伸縮性部材の中間部はおむつの外表面から離間している。
【０００３】
伸縮性の両端部のそれぞれは、おむつの外表面に接着剤等の固定手段を介して実質的に剥離不可能に固定されており、中間部を指で引っ張る程度では剥離しないように強固に固着されている。中間部は、その全体が伸縮可能な伸縮部とされている。すなわち、中間部は、指で引っ張ることにより伸長し、指を離すことにより弾性収縮する。おむつは股下部分から丸められると共に、指で伸縮性部材を引っ張って伸縮性部材を伸長させ、丸めたおむつを伸縮性部材の中に通して伸縮性部材から指を離すことにより、伸縮性部材によって丸めたおむつを保持することが可能となる。
【先行技術文献】
【特許文献】
【０００４】
【特許文献１】特開２００１−１３７２８７号公報
【発明の概要】
【発明が解決しようとする課題】
【０００５】
前述したおむつでは、伸縮性部材を指で引っ張り、引っ張った伸縮性部材の中間部とおむつの外表面との間に丸めたおむつを通して伸縮性部材から指を離すことにより、伸縮性部材によって丸めたおむつを保持する。しかしながら、伸縮性部材を指で引っ張るときに、伸縮性部材の幅が縮小して指に食い込み、指に負担がかかることがある。よって、伸縮性部材を引っ張るときの操作性において改善の余地がある。
【課題を解決するための手段】
【０００６】
本開示の一側面に係る衛生材は、不織布と、不織布に貼り付けられるワインディングテープと、ワインディングテープを不織布に固定する固定部と、を備え、ワインディングテープは、伸縮部と、伸縮部に設けられたタブと、を有する。
【０００７】
前述した一側面に係る衛生材では、固定部に固定されたワインディングテープが、伸縮部と、伸縮部に設けられたタブとを備える。従って、タブを摘まんで伸縮部を引っ張ることによって伸縮部を伸ばすことができるので、幅が縮小した伸縮部が指に食い込まないようにすることができる。すなわち、伸縮部を直接指で伸ばす必要が無く、タブを摘まんで伸縮部を伸ばすことができるため、伸縮部が指に食い込む事態を回避することができる。従って、衛生材に固定されたワインディングテープの伸縮部を引っ張るときの操作性を良好にすることができる。
【０００８】
固定部は、ワインディングテープの長手方向における伸縮部の両端側のそれぞれに設けられてもよい。
【０００９】
ワインディングテープは、衛生材の吸収体の長手方向に沿うように貼り付けられてもよい。
【００１０】
タブは、伸縮部に接合する接合部と、接合部からワインディングテープの面外方向に突出する摘まみ部と、を有し、接合部と摘まみ部との間に接合部から立ち上がる立ち上がり部が設けられ、立ち上がり部の幅は、伸縮部の幅の５０％以上であってもよい。
【００１１】
本開示の一側面に係るワインディングテープは、不織布に貼り付けられるワインディングテープであって、伸縮部と、伸縮部に設けられたタブと、を備える。
【００１２】
前述した一側面に係るワインディングテープでは、伸縮部にタブが設けられる。従って、不織布に貼り付けられたワインディングテープのタブを摘まんで伸縮部を引っ張ることができるので、幅が縮小した伸縮部が指に食い込まないようにすることができる。すなわち、伸縮部が指に食い込む事態を回避することができる。従って、伸縮部を引っ張るときの操作性を良好にすることができる。
【００１３】
ワインディングテープの長手方向における伸縮部の両端側のそれぞれに不織布に固定される固定部を備えてもよい。
【００１４】
タブは、伸縮部に接合する接合部を有し、接合部の幅は、伸縮部の幅の５０％以上であってもよい。
【００１５】
タブは、ワインディングテープの面外方向に突出する摘まみ部を有してもよい。
【００１６】
摘まみ部は、ワインディングテープの幅方向に延在していてもよい。
【００１７】
摘まみ部は、ワインディングテープの長手方向に沿って延在していてもよい。
【００１８】
伸縮部の引張強度が１０Ｎ／２５ｍｍ以上であってもよい。
【発明の効果】
【００１９】
本開示の一側面によれば、引っ張るときの操作性を向上させることができる。
【図面の簡単な説明】
【００２０】
【図１】図１は、実施形態に係るワインディングテープ及び衛生材を示す図である。
【図２】図２は、図１のワインディングテープ及び衛生材を模式的に示す図である。
【図３】図１のワインディングテープの固定部の層構造を模式的に示す図である。
【図４】図４（ａ）及び図４（ｂ）のそれぞれは、図１のワインディングテープの例示的なタブを示す図である。
【図５】図５（ａ）は、タブの例示的な断面を示す図である。図５（ｂ）は、図５（ａ）のタブをワインディングテープの面外方向から見た平面図である。
【図６】図６（ａ）は、図１のワインディングテープを引っ張る操作の例を示す斜視図である。図６（ｂ）は、タブを有しない比較例のワインディングテープを引っ張る操作の例を示す斜視図である。
【図７】図７（ａ）、図７（ｂ）、図７（ｃ）及び図７（ｄ）のそれぞれは、ワインディングテープのタブの種々の例を示す平面図である。
【図８】図８は、不織布にワインディングテープを載せる工程の例を示す図である。
【図９】図１のワインディングテープによって衛生材を巻き付ける操作の例を示す図である。
【図１０】図１０（ａ）は、図９の操作の続きを示す模式的な衛生材の腹側部を示す図である。図１０（ｂ）は、図９の操作の続きを示す模式的な衛生材の背中側部を示す図である。
【発明を実施するための形態】
【００２１】
以下では、図面を参照しながら本開示に係る衛生材及びワインディングテープを実施するための形態について詳細に説明する。図面の説明において、同一又は相当する要素には同一の符号を付し、重複する説明を適宜省略する。また、図面は、理解の容易のため、一部を簡略化又は誇張して描いている場合があり、寸法比率等は図面に記載のものに限定されない。
【００２２】
本明細書において「ワインディングテープ」は、丸められた衛生材を留めるテープを示しており、例えば、丸められた廃棄対象の衛生材を丸められた状態で止める廃棄テープを含む。「丸められた」とは、丸める、折り曲げる、又は巻く等によってまとめられた状態を示している。「衛生材」は、衛生状態を維持するために用いられる物であって、例えば、使い捨ての資器材を含む。「衛生材」は、例えば、使い捨ておむつ、生理用ナプキン、及び失禁パッド等の吸収性物品、並びに、止血用テープ等の衛生用品を含む。
【００２３】
「不織布」は、繊維を機械的作用又は化学的作用によって接着又は絡み合わせることによって布とされたものを示している。「吸収体」は、液体を吸収可能な部位又は部材を示している。「固定部」は、ある物に固定される部分又は部材を示している。「固定部」は、ある物に着脱可能に固定される部分又は部材であってもよいし、ある物に着脱不能に固定される部分又は部材であってもよい。「係止部」は、ある物に係止される部分又は部材を示している。「係止」は、着脱可能に取り付けられることを示しており、ある２つの物が位置固定された状態で止められる状態を含む。
【００２４】
「伸縮部」は、伸縮可能な部位を示しており、例えば、指等で伸ばすことによって任意の長さに変更可能な部分又は部材を示している。「フック」は物を引っ掛ける部位又は部材を示している。「フックの雄材」は、例えば、メカニカルファスナー等に設けられた複数の微細な突出部位を示しており、「フックの雌材」はフックの雄材が引っ掛けられる複数の微細な輪状の部位を示している。
【００２５】
図１は、実施形態に係る例示的な衛生材１及びワインディングテープ１０を示す図である。図２は、衛生材１及びワインディングテープ１０を模式的に示す図である。図１及び図２では、一例としてパンツ型のおむつである衛生材１を示している。但し、おむつとしての衛生材１は、テープ型（オープン型）又はパッド型等であってもよく、おむつの種類は適宜変更可能である。
【００２６】
例えば、衛生材１は使い捨ておむつである。衛生材１は、腰回り方向に延在するウエスト開口部２と、一対のレッグ開口部３と、一対のレッグ開口部３の間に位置する吸収体４とを備える。衛生材１は、腹側部６（図１０（ａ）参照）と、腹側部６の裏側に位置する背中側部５とを備えており、例えば、背中側部５を構成する不織布Ｎにはワインディングテープ１０が貼り付けられている。吸収体４は、例えば、長方形状を成しており、腹側部６から背中側部５に向かって延在している。
【００２７】
ワインディングテープ１０は、例えば、吸収体４の長手方向に沿うように貼り付けられる。ワインディングテープ１０は、不織布Ｎに固定される一対の固定部１１と、一対の固定部１１の間に設けられる伸縮部１２と、伸縮部１２に設けられたタブ１５とを備える。例えば、固定部１１は、ワインディングテープ１０の長手方向Ｄ１の両端のそれぞれにおいて不織布Ｎに固定される部位である。タブ１５は、指等によって摘ままれる部位である。
【００２８】
固定部１１は、例えば、粘着材によって構成されていてもよく、感圧接着剤（ＰＳＡ）であってもよい。但し、固定部１１は溶着（ウェルディング）によって不織布Ｎに固定された溶着部であってもよく、固定部１１の材料は特に限定されない。固定部１１は、例えば、不織布Ｎに剥離不能に固定されている。しかしながら、固定部１１は、不織布Ｎに剥離可能に固定されていてもよく、再剥離性のＰＳＡによって構成されていてもよい。
【００２９】
固定部１１は、例えば、四角形状（一例として長方形状）とされている。しかしながら、各固定部１１の形状、大きさ、数及び配置態様は適宜変更可能である。一例として、図３に示されるように、固定部１１は、例えば、粘着層１４を介して伸縮部１２に固定されたベース部１１ｂと、ベース部１１ｂから突出する複数の突起である雄材１１ｃとを備えていてもよい。
【００３０】
すなわち、固定部１１は、雄材１１ｃを有するフックであってもよい。粘着層１４は例えばＰＳＡである。更に、固定部１１は、非粘着性の材料によって構成されていてもよい。この場合、固定部１１を指で摘まむ等の操作をしても、指等に固定部１１が付着しないので、ワインディングテープ１０で衛生材１を巻き付ける操作の操作性を更に向上させることができる。
【００３１】
伸縮部１２は、例えば、単層のエラスティックフィルムである。伸縮部１２の引張強度は、例えば、１０Ｎ／２５ｍｍ以上である。伸縮部１２の引張強度は、引張方向がワインディングテープ１０の幅方向であり、当該幅方向の長さ（チャック間の距離）が２５ｍｍであり、チャックスピードが５０ｍｐｍであるときの値を示している。なお、伸縮部１２は、エラストマーを含むコア層、コア層の両主面のそれぞれに設けられたスキン層を有する３層構造を備えていてもよい。伸縮部１２のスキン層の材料は、例えば、ポリプロピレン樹脂（ＰＰ）であるが適宜変更可能である。
【００３２】
伸縮部１２はエラストマーを含んでおり、伸縮部１２のエラストマーは、例えば、オレフィン系エラストマー、スチレン−イソプレン・ブロック・コポリマー（ＳＩＳ）、及びポリウレタン系熱可塑性エラストマーを含む。但し、伸縮部１２の材料は、特に限定されない。例えば、伸縮部１２の厚さは、５μｍ以上且つ５００μｍ以下であってもよいし、２０μｍ以上且つ２００μｍ以下であってもよいし、一例として４０μｍであってもよい。
【００３３】
図４（ａ）及び図４（ｂ）は、例示的なタブ１５を拡大した図である。タブ１５は、伸縮部１２に設けられており、例えば、ワインディングテープ１０の面外方向Ｄ２に突出した状態で伸縮部１２に固定されていてもよい。例えば、タブ１５は、粘着剤、フィルム又は溶着によって固定される。図４（ａ）及び図４（ｂ）に示されるように、タブ１５の大きさは適宜変更可能であり、タブ１５の全部が伸縮部１２に固定されてもよいし、タブ１５の一部が伸縮部１２に固定されてもよい。タブ１５の材料は、限定されない。タブ１５は、非粘着性の材料によって構成されていてもよい。この場合、タブ１５を指で摘まむ操作をしても、指にタブ１５が付着しないので、ワインディングテープ１０で衛生材１を巻き付ける操作の操作性を更に向上させることができる。
【００３４】
例えば、タブ１５の材料は、熱可塑性樹脂であってもよく、具体例として、ポリプロピレン樹脂（ＰＰ）、ポリエチレン樹脂（ＰＥ）、塩化ビニル樹脂（ＰＶＣ）、エチル・メチル・メタクリレート樹脂（ＥＭＭＡ）、エチル・アクリレート樹脂（ＥＡ）、及びエチレン−酢酸ビニルコポリマー（ＥＶＡ）樹脂、又はこれらの２種以上の混合物等でもよい。なお、ＰＥとしては、低密度ポリエチレン（ＬＤＰＥ）、高密度ポリエチレン（ＨＤＰＥ）、又は直鎖状低密度ポリエチレン（ＬＬＤＰＥ）等が挙げられる。更に、タブ１５の材料は、上記の樹脂等に添加剤が添加されたものであってもよい。
【００３５】
図５（ａ）及び図５（ｂ）に例示されるように、タブ１５は、接合部１５ｂを介して伸縮部１２に固定されていてもよい。図５（ａ）及び図５（ｂ）に例示されるタブ１５は、伸縮部１２に接合される接合部１５ｂと、接合部１５ｂからワインディングテープ１０の面外方向Ｄ２に突出する摘まみ部１５ｃと、を有する。タブ１５は、例えば、長手方向Ｄ１に沿って配置された一対の接合部１５ｂと、一対の接合部１５ｂの間において突出する摘まみ部１５ｃとを有する。但し、接合部１５ｂは、長手方向Ｄ１に沿って一対に設けられていなくてもよく、例えば、１箇所（片側）のみに設けられていてもよい。
【００３６】
接合部１５ｂは、例えば、粘着層１６を介して伸縮部１２に接合されている。粘着層１６は、例えばＰＳＡである。摘まみ部１５ｃは、例えば、一対の接合部１５ｂのうちの一方から面外方向Ｄ２に立ち上がると共に逆Ｕ字状に折り曲げられて他方の接合部１５ｂにまで延在している。摘まみ部１５ｃは、指等によって摘ままれる部分であって、プルタブとも称される。
【００３７】
接合部１５ｂと摘まみ部１５ｃとの間には、例えば、接合部１５ｂから摘まみ部１５ｃに遷移する部位である立ち上がり部１５ｄが形成されている。立ち上がり部１５ｄは、接合部１５ｂと摘まみ部１５ｃとの境界部分であって、摘まみ部１５ｃの根元部分（付け根部分）であってもよい。
【００３８】
例えば、タブ１５は、一方の接合部１５ｂから、一方の立ち上がり部１５ｄ、摘まみ部１５ｃ及び他方の立ち上がり部１５ｄを介して、他方の接合部１５ｂまで延在している。各接合部１５ｂの幅方向Ｄ３の長さ、各摘まみ部１５ｃの幅方向Ｄ３の長さ、及び立ち上がり部１５ｄの幅方向Ｄ３の長さは、例えば、互いに同一である。しかしながら、接合部１５ｂの幅方向Ｄ３の長さ、摘まみ部１５ｃの幅方向Ｄ３の長さ、及び立ち上がり部１５ｄの幅方向Ｄ３の長さは、互いに同一でなくてもよい。
【００３９】
立ち上がり部１５ｄの幅方向Ｄ３の長さである立ち上がり部１５ｄの幅Ｂ１は、例えば、伸縮部１２の幅Ｂ２の５０％以上である。この場合、摘まみ部１５ｃを摘まんで伸縮部１２を引っ張ったときにおける伸縮部１２の撚れ又はねじれをより確実に抑制することができる。
【００４０】
例えば、図６（ｂ）に示されるように、タブ１５を有しない伸縮部１１２を指で引っ張るときに、伸縮部１１２の幅が縮小して指に食い込んで指に負担がかかることがある。これに対し、図６（ａ）に示されるように、タブ１５を摘まんで伸縮部１２を引っ張る場合には、伸縮部１２の撚れ及びねじれをより確実に抑制することできるので、操作性を良好にすることができる。
【００４１】
立ち上がり部１５ｄの幅Ｂ１の上限は、例えば、伸縮部１２の幅Ｂ２の２００％であってもよいし、１８０％、１５０％、１２０％又は１００％であってもよく適宜変更可能である。立ち上がり部１５ｄの幅Ｂ１の下限は、例えば、上記のように５０％であってもよいし、６０％、７０％、８０％、９０％又は１００％であってもよく適宜変更可能である。
【００４２】
図７（ａ）に示されるように、例えば、ワインディングテープ１０は、長手方向Ｄ１及び幅方向Ｄ３に延在する長方形状を成している。一例として、ワインディングテープ１０の長手方向Ｄ１の中央にタブ１５が設けられると共に長手方向Ｄ１の両端に固定部１１が設けられており、一対の固定部１１のそれぞれとタブ１５との間に伸縮部１２が延在している。タブ１５は、例えば、摘まみ部１５ｃを有し、摘まみ部１５ｃはワインディングテープ１０の幅方向Ｄ３に延在している。また、伸縮部１２は、前述したように、伸縮可能とされており、各固定部１１を起点として伸縮部１２が伸縮することによりワインディングテープ１０の長さは変更可能とされている。
【００４３】
固定部１１は、例えば、四角形状（一例として長方形状）とされている。しかしながら、各固定部１１の形状、大きさ、数及び配置態様は適宜変更可能である。また、図７（ｂ）に示されるように、固定部１１が省略されたワインディングテープ１０であってもよい。すなわち、伸縮部１２と、伸縮部１２に設けられたタブ１５とを備えたワインディングテープ１０であって、固定部を有しないワインディングテープ１０であってもよい。このワインディングテープ１０の場合、例えば、伸縮部１２のいずれかの箇所に後付けで固定部が設けられて不織布Ｎに貼り付けられる。
【００４４】
また、タブ１５の摘まみ部１５ｃはワインディングテープ１０の幅方向Ｄ３に交差する方向に延在していてもよい。図７（ｃ）では、ワインディングテープ１０の長手方向Ｄ１に延在する摘まみ部１５ｃを有するタブ１５を例示している。更に、図７（ｄ）に示されるように、摘まみ部１５ｃ及び立ち上がり部１５ｄを有しないタブ１５であってもよい。図７（ｄ）に示されるタブ１５は、非粘着性の接合部１５ｂによって構成されており、例えば、接合部１５ｂは伸縮部１２に沿って延在している。
【００４５】
図７（ｄ）に示されるタブ１５であっても、非粘着性の接合部１５ｂを指等で摘まむことにより、伸縮部１２以外の部分を摘まんで伸縮部１２を伸ばすことが可能である。なお、接合部１５ｂの幅Ｂ３が伸縮部１２の幅Ｂ２の５０％以上であってもよい。また、接合部１５ｂの幅Ｂ３の上限及び下限は、例えば、前述した立ち上がり部１５ｄの上限及び下限と同様であってもよい。
【００４６】
次に、衛生材１の不織布Ｎにワインディングテープ１０を貼り付ける衛生材１の製造方法の例について図８を参照しながら説明する。図８は、衛生材１を構成する不織布Ｎ及びワインディングテープ１０の流れを模式的に示す図である。図８に例示されるように、ワインディングテープ１０は、不織布Ｎに貼り付けられる前にはロール状部材Ｒ１とされており、ロール状部材Ｒ１から延在する部分が当該部分の幅方向に切断されることによってワインディングテープ１０が形成される。なお、ロール状部材Ｒ１の状態では、ワインディングテープ１０は、固定部１１及びタブ１５の少なくともいずれかを有しなくてもよく、固定部１１及びタブ１５の少なくともいずれかが後付けされてもよい。図８では、固定部１１を有しないワインディングテープ１０がロール状部材Ｒ１とされている例を示している。
【００４７】
衛生材１の不織布ＮはロールＲ２から搬送され、搬送された不織布Ｎ（衛生材１の背中側部５）に一定間隔ごとにワインディングテープ１０が貼り付けられる。このとき、例えば、ワインディングテープ１０は吸収体４の長手方向に沿うように貼り付けられる。但し、ワインディングテープ１０は吸収体４の長手方向に交差する方向に貼り付けられてもよい。そして、ワインディングテープ１０が貼り付けられた不織布Ｎが切断された後に、ワインディングテープ１０が貼り付けられた衛生材１が完成する。
【００４８】
次に、図９、図１０（ａ）及び図１０（ｂ）を参照しながら、ワインディングテープ１０で衛生材１を巻き付ける方法の例について説明する。まず、図９に示されるように、タブ１５を指で摘まんで一対の固定部１１の間に位置する各伸縮部１２を引っ張る。このとき、指で伸縮部１２を触れなくてよいので、指に対する伸縮部１２の食い込みは回避される。そして、図１０（ａ）及び図１０（ｂ）に示されるように、例えば、衛生材１を背中側部５が外側且つ腹側部６が内側を向くように吸収体４の長手方向に沿って丸めつつ、引っ張った伸縮部１２を衛生材１の腹側部６側に回して指を離すことにより、ワインディングテープ１０による衛生材１の巻き付けが完了する。衛生材１の巻き付けが完了した後には、例えば、ワインディングテープ１０が巻き付けられた衛生材１を袋に収容し、当該袋を縛り付けた状態としてダストボックス等に廃棄する。
【００４９】
次に、本実施形態に係る衛生材１及びワインディングテープ１０の作用効果について説明する。
【００５０】
衛生材１では、固定部１１に固定されたワインディングテープ１０が、伸縮部１２と、伸縮部１２に設けられたタブ１５とを備える。従って、タブ１５を摘まんで伸縮部１２を引っ張ることによって伸縮部１２を伸ばすことができるので、幅が縮小した伸縮部１２が指に食い込まないようにすることができる。すなわち、伸縮部１２を直接指で摘まむ必要がなく、タブ１５を摘まんで伸縮部１２を伸ばすことができるため、伸縮部１２が指に食い込む事態を回避することができる。従って、衛生材１に固定されたワインディングテープ１０の伸縮部１２を引っ張るときの操作性を良好にすることができる。
【００５１】
固定部１１は、ワインディングテープ１０の長手方向Ｄ１における伸縮部１２の両端側のそれぞれに設けられてもよい。この場合、伸縮部１２の両端側を一対の固定部１１によって強固に固定することができる。
【００５２】
ワインディングテープ１０は、衛生材１の吸収体４の長手方向に沿うように貼り付けられてもよい。この場合、不織布Ｎに対するワインディングテープ１０の取り付けを容易に行うことができる。
【００５３】
タブ１５は、図５（ａ）及び図５（ｂ）に例示されるように、伸縮部１２に接合する接合部１５ｂと、接合部１５ｂからワインディングテープ１０の面外方向Ｄ２に突出する摘まみ部１５ｃと、を有し、接合部１５ｂと摘まみ部１５ｃとの間に接合部１５ｂから立ち上がる立ち上がり部１５ｄが設けられ、立ち上がり部１５ｄの幅Ｂ１は、伸縮部１２の幅Ｂ２の５０％以上であってもよい。この場合、タブ１５における摘まみ部１５ｃと接合部１５ｂとの間に位置する立ち上がり部１５ｄの幅Ｂ１が伸縮部１２の幅Ｂ２の５０％以上である。よって、タブ１５の立ち上がり部１５ｄの幅Ｂ１が広いことにより、引っ張ったときにおけるワインディングテープ１０の撚れ又はねじれをより確実に抑制することができる。従って、ワインディングテープ１０を引っ張ったときの操作性を更に良好にすることができる。
【００５４】
タブ１５は、図７（ｄ）に例示されるように、伸縮部１２に接合する接合部１５ｂを有し、接合部１５ｂの幅Ｂ３は、伸縮部１２の幅Ｂ２の５０％以上であってもよい。この場合、タブ１５の接合部１５ｂの幅Ｂ３が伸縮部１２の幅Ｂ２の５０％以上である。よって、タブ１５の接合部１５ｂの幅Ｂ３が広いことにより、引っ張ったときにおける伸縮部１２の撚れ又はねじれを抑制することができる。従って、ワインディングテープ１０を引っ張ったときの操作性を更に高めることができる。
【００５５】
タブ１５は、ワインディングテープ１０の面外方向Ｄ２に突出する摘まみ部１５ｃを有してもよい。この場合、タブ１５の摘まみ部１５ｃがワインディングテープ１０の面外方向Ｄ２に突出するので、摘まみ部１５ｃによってタブ１５を一層摘まみやすくすることができる。
【００５６】
摘まみ部１５ｃは、ワインディングテープ１０の幅方向Ｄ３に延在していてもよい。この場合、摘まみ部１５ｃの方向がワインディングテープ１０の幅方向Ｄ３に沿うようにタブ１５が伸縮部１２に取り付けられるので、ワインディングテープ１０の製造性を高めると共にタブ１５を摘まみやすくすることができる。
【００５７】
摘まみ部１５ｃは、ワインディングテープ１０の長手方向Ｄ１に延在していてもよい。この場合、摘まみ部１５ｃの方向がワインディングテープ１０の長手方向Ｄ１に沿うようにタブ１５が伸縮部１２に取り付けられるので、タブ１５を摘まみやすくすることができる。
【００５８】
ワインディングテープ１０において、伸縮部１２の引張強度が１０Ｎ／２５ｍｍ以上であってもよい。この場合、伸縮部１２の強度が１０Ｎ／２５ｍｍ以上であることにより、引っ張ったときに伸縮部１２がちぎれる可能性をより低減させることができる。
【００５９】
以上、本開示に係る衛生材及びワインディングテープの実施形態について説明した。しかしながら、本発明は、前述した実施形態に限定されるものではない。本発明は、特許請求の範囲に記載した要旨を変更しない範囲において種々の変形が可能である。例えば、前述したように、衛生材及びワインディングテープを構成する各部の形状、大きさ、数、材料及び配置態様は適宜変更可能である。
【符号の説明】
【００６０】
１…衛生材、２…ウエスト開口部、３…レッグ開口部、４…吸収体、５…背中側部、６…腹側部、１０…ワインディングテープ、１１…固定部、１１ｂ…ベース部、１１ｃ…雄材、１２…伸縮部、１４…粘着層、１５…タブ、１５ｂ…接合部、１５ｃ…摘まみ部、１５ｄ…立ち上がり部、１６…粘着層、Ｂ１，Ｂ２，Ｂ３…幅、Ｄ１…長手方向、Ｄ２…面外方向、Ｄ３…幅方向、Ｎ…不織布、Ｒ１…ロール状部材、Ｒ２…ロール。
【図１】
2020174963.tif 000003
【図２】
2020174963.tif 000004
【図３】
2020174963.tif 000005
【図４】
2020174963.tif 000006
【図５】
2020174963.tif 000007
【図６】
2020174963.tif 000008
【図７】
2020174963.tif 000009
【図８】
2020174963.tif 000010
【図９】
2020174963.tif 000011
【図１０】
2020174963.tif 000012